(57)【要約】【課題】タイミング同期とチャンネル推定を同時に支援するために、それぞれの時間領域と周波数領域に相関特性が優れたコードと直交コードを挿入し、それによりアップリンクパイロット信号を設計する方法を提供する。【解決手段】本発明は複数の移動局と一つの基地局が多重搬送波に基づいて通信する無線通信システムのチャンネル推定方法であって、それぞれの移動局により、時間領域と周波数領域の反応が同時に一定形態を有するように設計されたパイロット信号を前記基地局に伝送し、前記基地局により、前記パイロット信号を利用して移動局と同期化し、それぞれの移動局に対するチャンネル推定を遂行する。【選択図】図３
2005204321.tif 000002
【特許請求の範囲】
【請求項１】
複数の移動局と一つの基地局が多重搬送波に基づいて通信する無線通信システムのチャンネル推定方法であって、 
それぞれの移動局により、時間領域と周波数領域の反応が同時に一定形態を有するように設計されたパイロット信号を前記基地局に伝送し、
前記基地局により、前記パイロット信号を利用して移動局と同期化し、それぞれの移動局に対するチャンネル推定を遂行すること
を特徴とするチャンネル推定方法。
【請求項２】
前記パイロット信号は、時間領域で同期符号と周波数特性によって決定されるチャンネル特性符号とを含んで構成されることを特徴とする請求項１記載のチャンネル推定方法。
【請求項３】
前記同期符号が直交符号であることを特徴とする請求項２記載のチャンネル推定方法。
【請求項４】
前記同期符号がゴールド符号(Gold code)またはウォルシュ符号(Walsh code)であることを特徴とする請求項２記載のチャンネル推定方法。
【請求項５】
前記パイロット信号は、周波数領域で拡散符号とチャンネル推定と関係ない従属符号とを含んで構成されることを特徴とする請求項１記載のチャンネル推定方法。
【請求項６】
前記拡散符号が直交符号であることを特徴とする請求項５記載のチャンネル推定方法。
【請求項７】
前記拡散符号は、ゴールド符号またはウォルシュ符号であることを特徴とする請求項５記載のチャンネル推定方法。
【請求項８】
前記パイロット信号は、
時間領域で、基地局と移動局との同期化のための同期符号と、周波数特性に応じて決定されるチャンネル特性符号とを含み、
周波数領域で、チャンネル推定のための拡散符号と、チャンネル推定と関係ない従属符号とを含んで構成されること
を特徴とする請求項１記載のチャンネル推定方法。
【請求項９】
前記同期符号とチャンネル特性符号は、ゴールド符号またはウォルシュ符号のうちの一つであることを特徴とする請求項８記載のチャンネル推定方法。
【請求項１０】
前記周波数領域における拡散符号と従属符号は、前記時間領域におけるチャンネル特性符号によって決定されることを特徴とする請求項９記載のチャンネル推定方法。
【請求項１１】
前記チャンネル特性符号は、与えられた環境の信号対雑音比(ＳＮＲ)により前記周波数領域の拡散符号の信号対干渉雑音比(ＳＩＮＲ)を最大化するように形成されることを特徴とする請求項１０記載のチャンネル推定方法。
【請求項１２】
複数の移動局と一つの基地局が多重搬送波に基づいて通信する無線通信システムのパイロット信号設計方法であって、
時間領域と周波数領域の反応を同時に有するパイロット信号を設計する段階を含むパイロット信号設計方法。
【請求項１３】
前記パイロット信号は、
時間領域で、移動局と基地局との同期化のための同期符号と周波数特性に応じて決定されるチャンネル特性符号とを含み、
周波数領域で、拡散符号とチャンネル推定と関係ない従属符号とを含んで構成されること
を特徴とする請求項１２記載のパイロット信号設計方法。
【請求項１４】
前記同期符号と拡散符号は直交符号であることを特徴とする請求項１３記載のパイロット信号設計方法。
【請求項１５】
前記同期符号と拡散符号は、それぞれゴールド符号またはウォルシュ符号であることを特徴とする請求項１３記載のパイロット信号設計方法。
【請求項１６】
前記拡散符号と従属符号は、時間領域でチャンネル特性符号によって設計されることを特徴とする請求項１４記載のパイロット信号設計方法。
【請求項１７】
前記チャンネル特性符号は、与えられた環境の信号対雑音比(ＳＮＲ)により前記周波数領域の拡散符号の信号対干渉雑音比(ＳＩＮＲ)を最大化するように形成されることを特徴とする請求項１６記載のパイロット信号設計方法。
【請求項１８】
複数の移動局から伝送されるパイロット信号に基づいて基地局でそれぞれの移動局に対するチャンネルを推定する多重搬送波コード分割多重接続システムであって、
それぞれの移動局からのパイロット信号を分離するための複数の相関器と、
前記相関器からの最大出力値を検出し、タイミング情報として移動局にフィードバックする最大値検出器と、
前記パイロット信号を逆拡散して各移動局のチャンネルを推定するためのチャンネル推定器とを含んでなることを特徴とする受信器。
【請求項１９】
前記相関器は整合フィルタであることを特徴とする請求項１８記載の受信器。
【請求項２０】
前記相関器は能動相関器であることを特徴とする請求項１８記載の受信器。
【請求項２１】
前記チャンネル推定器は、前記パイロット信号を結合技法により逆拡散してチャンネルを推定することを特徴とする請求項１８記載の受信器。
【発明の詳細な説明】
【技術分野】
【０００１】
本発明は移動通信システムに関するもので、より詳細には、多重搬送波コード分割多重アクセス(Multicarrier-Code Division Multiple Access：以下、“ＭＣ-ＣＤＭＡ”とする)システムにおける同期とチャンネル推定を同時に支援するパイロット信号を設計する方法に関するものである。
【背景技術】
【０００２】
次世代移動通信では、より向上した品質の多様なマルチメディアサービスを支援するために、高速高品質のデータ伝送が求められる。この要求を満たすための技術の一つとして、最近ではＭＣ-ＣＤＭＡに関する研究が活発に進んでいる。
【０００３】
ＭＣ-ＣＤＭＡは、直交周波数分割多重化(Orthogonal Frequency Division Multiplexing：以下、“ＯＦＤＭ”とする)のような多重搬送波技術とＣＤＭＡ技術に基づいている。
【０００４】
ＯＦＤＭにおいて、データを相互に直交する狭帯域の副搬送波に伝送し、それにより、広帯域伝送の際に発生可能な周波数選択的フェージングチャンネル(frequency selective fading channel)による性能劣化を減少させる。また、ＯＦＤＭでは保護区間(Guard Interval：以下、“ＧＩ”とする)を挿入することで、多重経路フェージングによる隣接シンボル干渉(Inter-Symbol Interference：以下、“ＩＳＩ”とする)の問題を解決する。
【０００５】
ＣＤＭＡ技術は、使用者を相互に直交する拡散符号によって区分する。したがって、周波数分割多重接続(Frequency Division Multiple Access：以下、“ＦＤＭＡ”とする)または時分割多重接続(Time Division Multiple Access：以下、“ＴＤＭＡ”とする)の技術に比べてシステム容量の面で長所を有する。
【０００６】
このＯＦＤＭのような多重搬送波伝送技術では、同期化のためにパイロットシンボルを利用して受信端でタイミングを復元する方式と、多重経路チャンネルの遅延拡散を除去するために挿入される周期プリフィックス(Cyclic Prefix)を用いてタイミングを復元する方式とが考えられる。
【０００７】
通信システムにおいて、初期同期捕捉(acquisition)は非常に重要である。特に、多重搬送波に基づいた通信システムはタイミング誤差に敏感なので、優れた性能を有する同期化技術が必須的に求められる。しかしながら、多数の使用者からの信号によって発生する多重接続干渉信号(Multiple Access Interference：“ＭＡＩ”とする)が大きい場合に、パイロット信号または保護区間(ＧＩ)が歪むようになる。それにより、同期捕捉の信頼性が低下するという問題があった。
【０００８】
また、移動通信システムでは、時変(time-varying)チャンネル特性を補償するためにチャンネル推定が必須的に要求され、チャンネル推定のためにパイロット信号を使用するようになる。ＭＣ-ＣＤＭＡはダウンリンク伝送のための適切な技術として認定されているが、アップリンク伝送技術として適用するのには複雑な伝送環境(propagation condition)によって難しさがあった。すなわち、複数の移動局から受信される信号は相互に異なるチャンネル特性(channel transfer functions)を通じて受信されるため、パイロットに基づいたチャンネル推定に難しさがあった。なお、移動局の移動速度も異なるだけでなく、移動局と基地局との距離も異なるため、アップリンクの同期化に困難さがあった。
【０００９】
アップリンクチャンネル推定のために直交符号を用いたパイロット信号を設計する技術が、韓国の特許公開公報第２００１-５８２４８号に開示されている。この公開公報による技術は、チャンネル推定のための別途のパイロット信号を使用することで、それにより、帯域効率が低下するという問題点を有する。
【特許文献１】韓国特許公開公報第２００１-５８２４８号
【発明の開示】
【発明が解決しようとする課題】
【００１０】
したがって、上記のような問題点を解決するための本発明の目的は、タイミング同期とチャンネル推定を同時に支援するために、それぞれの時間領域と周波数領域に相関特性が優れたコードと直交コードを挿入し、それによりアップリンクパイロット信号を設計する方法を提供することにある。
【００１１】
本発明の他の目的は、多数の使用者によるＭＡＩ電力が大きなＭＣ-ＣＤＭＡアップリンク伝送において、安定した同期とチャンネル推定が同時に可能なパイロット信号の設計方法を提供することにある。
【００１２】
さらに本発明の目的は、タイミング同期とチャンネル推定が同時に可能に設計されたパイロット信号を利用することにより、パイロット信号による帯域効率の低下を最小化するパイロット信号の設計方法を提供することにある。
【課題を解決するための手段】
【００１３】
上記の目的を達成するために本発明は、複数の移動局と一つの基地局が多重搬送波に基づいて通信する無線通信システムのチャンネル推定方法であって、それぞれの移動局により、時間領域と周波数領域の反応が同時に一定形態を有するように設計されたパイロット信号を前記基地局に伝送し、前記基地局により、前記パイロット信号を利用して移動局と同期化し、それぞれの移動局に対するチャンネル推定を遂行することを特徴とする。前記パイロット信号は、時間領域で、基地局と移動局との同期化のための同期符号と、周波数特性に応じて決定されるチャンネル特性符号とを含み、周波数領域で、チャンネル推定のための拡散符号と、チャンネル推定と関係ない従属符号とを含んで構成される。前記同期符号とチャンネル特性符号は、ゴールド符号またはウォルシュ符号のうちの一つである。前記周波数領域における拡散符号と従属符号は、前記時間領域におけるチャンネル特性符号によって決定される。前記チャンネル特性符号は、与えられた環境の信号対雑音比(ＳＮＲ)により前記周波数領域の拡散符号の信号対干渉雑音比(ＳＩＮＲ)を最大化するように形成されるのが望ましい。
【００１４】
本発明の他の側面では、複数の移動局と一つの基地局が多重搬送波に基づいて通信する無線通信システムにおいて、時間領域と周波数領域の反応を同時に有するパイロット信号を設計する段階を含むパイロット信号が設計される。
【００１５】
また、本発明は、複数の移動局から伝送されるパイロット信号に基づいて基地局でそれぞれの移動局に対するチャンネルを推定する多重搬送波コード分割多重接続システムであって、それぞれの移動局からのパイロット信号を分離するための複数の相関器と、前記相関器からの最大出力値を検出し、タイミング情報として移動局にフィードバックする最大値検出器と、前記パイロット信号を逆拡散して各移動局のチャンネルを推定するためのチャンネル推定器とを含んでなる。前記相関器は、整合フィルタあるいは能動相関器である。前記チャンネル推定器は、前記パイロット信号を結合技法により逆拡散してチャンネルを推定する。
【発明の効果】
【００１６】
本発明によるパイロット信号の設計構造は、それぞれの時間領域と周波数領域に相関特性が優れたコードと直交コードとを挿入してアップリンクパイロット信号を設計することによって、タイミング同期とチャンネル推定を同時に可能にする効果がある。
【００１７】
また、本発明によるパイロット信号を利用すると、特に多数の使用者によるＭＡＩ電力が大きなＭＣ-ＣＤＭＡアップリンク伝送で安定した同期とチャンネル推定が同時に可能になる。
【００１８】
さらに、本発明によるパイロット信号の設計方法では、タイミング同期とチャンネル推定が同時に可能なようにパイロット信号を設計することによって、パイロットによる帯域効率の低下を最小化することができる。
【発明を実施するための最良の形態】
【００１９】
以下、本発明の望ましい実施形態を添付の図面を参照して詳細に説明する。
本発明によるＭＣ-ＣＤＭＡアップリンクパイロット信号は、時間領域で同期符号を含み、周波数領域で各使用者に対するチャンネル推定が可能な形態に設計される。
【００２０】
図１は、本発明の望ましい実施形態により設計される時間領域におけるパイロット信号の構造を示す図である。
図１に示すように、パイロット信号は、遅延拡散を除去するために必要な保護区間(Guard Interval)１０１と、タイミング同期のための同期符号ｐ１ １０２と、周波数特性を考慮して設計されるチャンネル特性符号ｐ２１０３とから構成される。保護区間１０１を除いてＮ個のサンプルで構成されるパイロット信号は、＜数式１＞のようになる。
【００２１】
【数１】
2005204321.tif 000003
上記パイロットベクトルの元素である同期符号ｐ１とチャンネル特性符号ｐ２は、それぞれ＜数式２＞及び＜数式３＞の通りである。
【００２２】
【数２】
2005204321.tif 000004
【００２３】
【数３】
2005204321.tif 000005
【００２４】
ここで、同期符号ｐ１としては、他の使用者との干渉信号に対して強くするために、交差相関特性が優れた符号、例えばゴールド符号(Gold code) または直交ゴールド符号(orthogonal Gold code)を使用することができる。
【００２５】
図２は、本発明の望ましい実施形態により設計される周波数領域におけるパイロット信号の構造を示す図である。
図２に示すように、周波数領域において、パイロット信号は直交拡散符号２０１とチャンネル推定に関係ない従属符号２０２で構成される。本発明で要求されるパイロット信号の周波数応答(desired frequency response)Ｘｄを示すと、次の＜数式４＞のようである。
【００２６】
【数４】
2005204321.tif 000006
上記の＜数式４＞で、要求される周波数応答Ｘｄを構成する直交拡散符号ｃｉをＬ回連接して得られた長さＮの拡散符号ｃspi２０１と、上記従属符号ｕ２０２は、それぞれ＜数式５＞及び＜数式６＞のように示される。
【００２７】
【数５】
2005204321.tif 000007
【００２８】
【数６】
2005204321.tif 000008
【００２９】
ここで、ｃｉはｉ番目の使用者に割り当てる直交拡散符号であって、直交ゴールド符号またはウォルシュ符号(Walsh code)などがこの直交符号として使用される。また、従属符号ｕはエネルギーのないことが望ましいため、所望の周波数応答が０ベクトルとして取られる。
【００３０】
以下、図１に示したチャンネル特性符号ｐ２の設計において、全体パイロット信号に対する周波数領域における周波数応答Ｘｄにより、図２に示すように直交コードの形態に設計する過程を説明する。
【００３１】
上記の＜数式１＞と＜数式４＞から、次の＜数式７＞が成り立つ。
【数７】
2005204321.tif 000009
【００３２】
ここで、Ｄは離散フーリエ変換(Discret time Fourier Transform：ＤＦＴ)行列であって、次の＜数式８＞のように示す。
【数８】
2005204321.tif 000010
【００３３】
ＤＦＴ行列Ｄは、(Ｎ×Ｍ)行列Ｄ１、及び（Ｎ×(Ｎ-Ｍ)）行列Ｄ２に分割すると、＜数式９＞のように示す。
【数９】
2005204321.tif 000011
【００３４】
上記の＜数式７＞に＜数式９＞を代入すれば、次の＜数式１０＞のようである。
【数１０】
2005204321.tif 000012
【００３５】
＜数式１０＞は、さらに次の＜数式１１＞のように示す。
【数１１】
2005204321.tif 000013
【００３６】
＜数式１１＞は過剰決定(overdetermined)方程式であって、Ｄｐと目標とするパイロットシンボルの周波数応答Ｘｄとの差、すなわち誤差の二乗(mean square error：ＭＳＥ)を最小化する最小二乗法(least squares method)を使用してチャンネル特性符号ｐ２を求められる。
【００３７】
チャンネル特性符号ｐ２は最小二乗法を使用して、次の＜数式１２＞によって求められる。
【数１２】
2005204321.tif 000014
【００３８】
周波数領域における直交拡散符号ｃｉと非設計された従属符号ｕの誤差に相互に異なる誤差反映加重値を適用して計算された全体誤差を最小化する加重最小二乗法(weighted least squares method)により、チャンネル特性符号ｐ２は＜数式１３＞のように求められる。
【数１３】
2005204321.tif 000015
【００３９】
＜数式１３＞でＷは加重値行列で、次の＜数式１４＞のようである。
【数１４】
2005204321.tif 000016
【００４０】
ここで、ｗ１とｗ２は、それぞれ直交拡散符号ｃ１と非設計の従属符号ｕの誤差反映加重値である。この誤差反映加重値の比率をｒｗ＝ｗ１/ｗ２に定義した場合に、ｒｗが増加すると、従属符号ｕで電力漏れ(power leakage)は減少するが、拡散符号ｃ１の歪みは大きくなる。一方、ｒｗが減少すると、その反対の現象が発生する。すなわち、拡散符号の歪みが減少することにより、使用者間の干渉電力が減少すると、電力漏れは増加する。周波数領域のパイロット設計の目的は、チャンネル推定のための信号のＳＩＮＲを最大化することにある。そのため、与えられた環境の下でＳＮＲが与えられたとき、ＳＩＮＲ（ＳＩＮＲＣＥ）を最大化するｒｗを選択すべきである。したがって、与えられた環境のＳＮＲが＜数式１５＞のように与えられた場合に、パイロット信号に対するＳＩＮＲＣＥは＜数式１６＞によって求められる。
【００４１】
【数１５】
2005204321.tif 000017
【００４２】
【数１６】
2005204321.tif 000018
【００４３】
ここで、Ｐはパイロットシンボル電力(pilot symbol power)、Ｐｌは所定信号の電力損失(power loss of don’t care points)、σｎ２は雑音電力(noise power)、そしてσｉ２は符号干渉電力(code interference power)である。＜数式１６＞に示すように、ｒｗに従ってＰｌとσｉ２の値が変わるため、ＳＩＮＲＣＥの値も変化するようになる。
【００４４】
図３は、ＳＩＮＲＣＥを最大化する加重値比率ｒｗを探す過程を示すフローチャートである。本発明においては、ＳＮＲが定められると、反復過程(iteration)を通じてｒｗをステップサイズ(step size)だけ増加させつつ、ＳＩＮＲＣＥが最大になるｒｗを探す。ＳＩＮＲＣＥはｒｗが０から増加するときに共に増加するため、ＳＩＮＲＣＥが減少し始める地点で最大ＳＩＮＲＣＥを有するｒｗが得られる。
【００４５】
図３に示すように、ＳＮＲが定められると、最大ＳＩＮＲＣＥ値Ｐｒｅｖとｒｗを初期値０にセッティングする（ステップＳ３０１）。ｒｗはステップサイズだけ増加させる（ステップＳ３０３）。ＳＩＮＲＣＥは、前記増加したｒｗにより＜数式１６＞を利用して求められる（ステップＳ３０５）。このＳＩＮＲＣＥの値がＳＩＮＲＣＥの最大値のＰｒｅｖより大きいかどうかを判断する(ステップＳ３０７)。ここで、ＳＩＮＲＣＥの値が最大値Ｐｒｅｖより大きいと、現在のＳＩＮＲＣＥの値を最大値Ｐｒｅｖに設定する(ステップＳ３０８)。すると、ｒｗはさらにステップサイズだけ増加させる(ステップＳ３０３)。上記のステップＳ３０３〜Ｓ３０７を反復遂行し、現在のＳＩＮＲＣＥの値が最大値Ｐｒｅｖ以下の場合は(ステップＳ３０７)、現在のｒｗを出力する(ステップＳ３０９)。
【００４６】
基地局は、移動局で上記のような方法で設計されたパイロット信号を利用して、タイミング捕捉及びチャンネル推定を遂行する。
【００４７】
図４は、本発明の望ましい実施形態によるパイロット信号を利用してタイミング捕捉を遂行する基地局受信器を示すブロック構成図である。
図４に示すように、基地局受信器は、アンテナを通じて受信されたアナログ信号をデジタル信号に変換するアナログ/デジタル変換器４０１と、アナログ/デジタル変換器４０１から出力されたデジタル信号を並列信号に変換する直列/並列変換器４０２と、前記並列信号に対して高速フーリエ変換を遂行する高速フーリエ変換器(Fast Fourier Transformer：ＦＦＴ)４０３と、前記ＦＦＴ信号を逆拡散するための逆拡散器４０４と、パイロット信号を利用してチャンネル推定器４０８から推定されたチャンネル推定値によって逆拡散信号から伝送信号を復元するための検出器４０５と、パイロット信号を利用して同期を捕捉するための同期捕捉部４１０とから構成される。
【００４８】
逆拡散の際に、結合技術としては、均等利得結合(Equal Gain Combining：ＥＧＣ)、最大比率結合(Maximum Ratio Combining：ＭＲＣ)、最小平均二乗誤差結合(Minimum Mean Square Error Combining：ＭＭＳＥ)などが使用される。
【００４９】
同期捕捉部４１０は、アナログ/デジタル変換器４０１の出力信号を同期符号と相関させて各使用者のタイミング誤差を検索するための相関器４１２を含む。また、同期捕捉部４１０は、この相関器４１２の各使用者別出力値のうちの一番大きな値を該当使用者の端末にフィードバックする最大値検出器４１５を含む。
【００５０】
逆拡散器４０４は、図５に示すように、それぞれの使用者から受信される信号を区別して逆拡散を遂行すべきなので、使用者別に固有の拡散コードを乗算する複数の逆拡散モジュール５０４で構成されるのが好ましい。
【００５１】
図５に示すように、各使用者の信号は直交符号で拡散され、前記信号はそれぞれの逆拡散モジュール５０４で使用者別拡散コードを利用して逆拡散し、それにより使用者別チャンネルを推定することができる。 
【００５２】
本発明によるパイロット信号設計方法は上記のような基地局受信器の構造で説明したが、上記の実施形態によって本発明が限定されるのではなく、本発明の技術思想の範囲内で当業者によって多様な変形が可能であることはもちろんでる。
【図面の簡単な説明】
【００５３】
【図１】本発明の望ましい実施形態により設計される時間領域におけるパイロット信号の構造を示す図である。
【図２】本発明の望ましい実施形態により設計される周波数領域におけるパイロット信号の構造を示す図である。
【図３】本発明の望ましい実施形態により、加重最小自乗法を使用してチャンネル特性符号を設計する場合に、パイロット信号の信号対干渉雑音比(ＳＩＮＲ)を最大化する誤差反映加重値を検索する過程を示すフローチャートである。
【図４】本発明の望ましい実施形態によるパイロット信号を利用してタイミング捕捉を遂行する基地局受信器を示すブロック構成図である。
【図５】図４の基地局受信器でそれぞれの使用者に対するチャンネル推定のための逆拡散器を示すブロック構成図である。
【符号の説明】
【００５４】
４０１…アナログ/デジタル変換器、４０２…直列/並列変換器、４０３…高速フーリエ変換器、４０４…逆拡散器、４０５…検出器、４０８…チャンネル推定器、４１０…同期捕捉部、４１２…相関器、４１５…最大値検出器、５０４…逆拡散モジュール。
【図１】
2005204321.tif 000019
【図２】
2005204321.tif 000020
【図３】
2005204321.tif 000021
【図４】
2005204321.tif 000022
【図５】
2005204321.tif 000023